(57)【特許請求の範囲】
【請求項１】
表示部を有する矩形状の装置本体と、
バッテリセルが組み込まれ、外形形状が丸みを帯びたバッテリパックと
を有し、
前記バッテリパックは、前記表示部と前記バッテリセルとが重ならない配置で、前記装置本体の一辺側に装着されている電子機器であって、
前記バッテリパックを前記装置本体に電気的に接続するコネクタとその近傍の突出部をさらに有し、
前記装置本体の筐体は、前記コネクタを覆うように張り出した張出し部と、前記コネクタとその近傍の突出部を受容する凹部を有し、
前記コネクタとその近傍の突出部は前記凹部に受容され、張出し部と前記凹部の反対側の内面とにより挟まれた状態で固定される電子機器。
【請求項２】
請求項１記載の電子機器であって、
前記装置本体の内部で比較的重量のある部品を前記バッテリパックに近い位置に配置した電子機器。
【請求項３】
請求項１又は２記載の電子機器であって、
前記バッテリセルは円筒形状であり、前記バッテリパックの外形形状の丸みは前記バッテリセルの外形の丸みに対応している電子機器。
【請求項４】
請求項１又は２記載の電子機器であって、
前記バッテリパックは、前記電子機器が支持されたときに重力方向において下側になる前記装置本体の一辺に装着された電子機器。
【請求項５】
請求項１又は２記載の電子機器であって、
前記バッテリパックは、前記装置本体の長辺側の一辺に装着された電子機器。
【請求項６】
請求項１乃至５のうちいずれか一項記載の電子機器であって、
前記装置本体が載置面上で滑らないように支持する一対の支持部材がバッテリパックを挟むように前記装置本体に設けられ、該支持部材は前記バッテリパックの丸みに対応して湾曲した湾曲部を有する電子機器。
【発明の詳細な説明】
【技術分野】
【０００１】
実施形態は、バッテリを使って駆動される電子機器に関する。
【背景技術】
【０００２】
携帯型パーソナルコンピュータとしてタブレット端末に代表される、平板状の本体表面にタッチパネル式ディスプレイを搭載したモバイル端末が知られている。つまり、タブレット端末は平板型で矩形形状を有している。タブレット端末の表面の大部分が表示入力装置で占められている。タブレット端末には、表示入力装置として、画像を表示でき且つタッチ入力もできるタッチパネル式ディスプレイが搭載されている。また、タブレット端末を携帯型端末とするためには、バッテリを使って駆動される。このため、タブレット端末にはバッテリパックが組み込まれる。
【先行技術文献】
【特許文献】
【０００３】
【特許文献１】特開平８−７６８８７号公報
【特許文献２】特開２００４−１３８４３号公報
【発明の概要】
【発明が解決しようとする課題】
【０００４】
全体平面形状が矩形形状であるタブレット端末は、横置き姿勢及び縦置き姿勢のいずれでも使用可能である。また、タブレット端末は、片手で把持したり片腕で支持したりしながら他方の手で操作することもできる。
【０００５】
タブレット端末を持ち運んだり、腕にかかえながら操作する場合、使用者はタブレット端末の一部を手で把持する。タブレット端末は単純な矩形形状の平板型であることが多く、使用者はタブレット端末のどの部位でも把持できる。使用者がタブレット端末の周囲部分を把持したときに、把持した部分が例えば角張っていて握り難い形状であると、タブレット端末は使い勝手が悪いという印象を使用者に与えてしまうおそれがある。また、把持した部分とタブレット端末の重心位置との関係により、予想以上に把持力が必要となることもある。
【０００６】
そこで、実施形態は、使用者が手のひらで把持しやすいタブレット端末等の電子機器を提供することを目的とする。
【課題を解決するための手段】
【０００７】
一実施態様によれば、表示部を有する矩形状の装置本体と、バッテリセルが組み込まれ、外形形状が丸みを帯びたバッテリパックとを有し、前記バッテリパックは、前記表示部と前記バッテリセルとが重ならない配置で、前記装置本体の一辺側に装着されている電子機器であって、前記バッテリパックを前記装置本体に電気的に接続するコネクタとその近傍の突出部をさらに有し、前記装置本体の筐体は、前記コネクタを覆うように張り出した張出し部と、前記コネクタとその近傍の突出部を受容する凹部を有し、前記コネクタとその近傍の突出部は前記凹部に受容され、張出し部と前記凹部の反対側の内面とにより挟まれた状態で固定される。
【発明の効果】
【０００８】
一実施態様によれば、バッテリパックの丸みを帯びた部分が手で把持するのに適当な部分であることを使用者に容易に認識させることができる。
【図面の簡単な説明】
【０００９】
【図１】一実施形態による電子機器の一例であるタブレット端末の斜視図である。
【図２】図１に示すタブレット端末を裏面側から見た斜視図である。
【図３】図１に示すタブレット端末の側面図である。
【図４】タブレット端末を裏側から見た斜視図であり、バッテリパックが装置本体から外された状態を示す図である。
【図５】バッテリパックを表側から見た斜視図である。
【図６】バッテリパックを裏側から見た斜視図である。
【図７】タブレット端末を示す図であり、（ａ）は平面図、（ｂ）は（ａ）のＢ−Ｂ線に沿った断面図である。
【図８】図７（ｂ）に示すＡ部の拡大図である。
【図９】バッテリパックを外した状態のタブレット端末の斜視図であり、中央で切断した状態を示している。
【図１０】タブレット端末を裏側から見た斜視図であり、支持部材の一つが取り外された状態を示している。
【図１１】図１０のＡ部を拡大して示す図である。
【図１２】支持部材を裏側から見た斜視図である。
【図１３】支持部材の側面図である。
【図１４】タブレット端末の平面図であり、タッチパネル及びＬＣＤが取り除かれた状態を示している。
【発明を実施するための形態】
【００１０】
次に、実施形態について図面を参照しながら説明する。
【００１１】
図１は一実施形態による電子機器の一例であるタブレット端末の斜視図である。図２は図１に示すタブレット端末を裏面側から見た斜視図である。図３は図１に示すタブレット端末の側面図である。
【００１２】
図１に示すタブレット端末１０は本発明の一実施形態による電子機器の一例であるが、本発明はタブレット端末に限定されるものではなく、使用者が手で保持しながら使用可能な電子機器であれば、どのような電子機器にも適用することができる。
【００１３】
タブレット端末１０は、装置本体２０とバッテリパック５０とを有する。バッテリパック５０は装置本体２０の一辺側に着脱自在に装着される。バッテリパック５０が装置本体２０に装着された状態で、タブレット端末１０全体の平面形状は矩形形状となる。バッテリパック５０はタブレット端末１０の長辺側に配置されて装着されている。バッテリパック５０をタブレット端末１０の長辺側に配置することで、バッテリパック５０に容量の大きなバッテリセルを組み込むことができ、高容量に対応可能である。さらに、バッテリパック５０をタブレット端末１０の長辺側に配置することで、後述のようにスタンドを用いてタブレット端末１０を立てた姿勢で支持して使用するときの安定感を増すことができる。
【００１４】
装置本体２０の表側には、図１に示すように、表示装置又は操作装置として矩形状のタッチパネル２２が設けられている。装置本体２０とバッテリパック５０とで、タッチパネル２２を囲む部分が額縁状に形成される。タッチパネル２２は各種画像や情報を表示するＬＣＤと共に、使用者が画面に触れて入力を行なう入力装置としても機能する。
【００１５】
装置本体２０の短辺側の一側部には、図２に示すように、電源コネクタ２４、ＬＡＮコネクタ２６、ＵＳＢコネクタ２８等の様々なコネクタや端子が設けられている。また、装置本体２０の短辺側の他側部には、図１に示すように、電源スイッチ３０等のスイッチやコネクタ等が設けられている。装置本体２０の短辺側の側部は、図３に示すようにスタンド３２を装置本体２０の裏面から出して、バッテリパック５０が設けられている側を下にしてタブレット端末１０を立てて配置したときに、側部となる部分である。したがって、コネクタ、端子、スイッチ類は、装置本体２０の短辺側の側部に設けられている。このように、タブレット端末１０を支持したときに、バッテリパック５０を重力方向下側になるように配置することで、タブレット端末１０の側面にコネクタ類を配置することができ、使用者の使い勝手を向上させている。
【００１６】
スタンド３２を用いてタブレット端末１０を立てて置く場合は、バッテリパック５０が重力方向において下側となるような姿勢となる。したがって、バッテリパック５０が装着される装置本体２０の長辺側には、一対の支持部材３４がバッテリパック５０を挟むような位置に設けられている。支持部材３４は、例えば、一般名称としてシリコンゴム、ポリエステルエラストマ、二色成形品等の弾性体により形成されている。支持部材３４はバッテリパック５０を下側にしてタブレット端末１０を机上に載置した場合に、支持部材３４が机面に当接するように、バッテリパック５０より突出している。支持部材３４の形状については後述する。
【００１７】
一方、タブレット端末１０は、図１に示すようにタッチパネル２２を上に向けた姿勢で水平な状態で机上に置かれることもある。タブレット端末１０がこのような姿勢で置かれた場合、図２に示されている裏面が机面に対向することになる。このとき、バッテリパック５０側では支持部材３４が机面に当接し、反対側では一対の支持パッド３６が机面に当接する。すなわち、タブレット端末１０の裏側を下にして机上に載置するときには、一対の支持部材３４と一対の支持パッド３６とにより机上に支持されることとなる。支持パッド３６も、支持部材３４と同様に、一般名称としてシリコンゴム、ポリエステルエラストマ、二色成形品等の弾性体により形成されている。
【００１８】
なお、スタンド３２は図２に示すように装置本体２０の裏面に形成された凹部に収容されるので、装置本体２０の裏面を下側にしてタブレット端末１０を机上に載置する際には、支持部材３４と支持パッド３６よりは下側に突出しないようになっている。タブレット端末１０を写真立てのように立てた姿勢で机上に置くときには、図３に示すように、スタンド３２を回動させて装置本体２０の裏面に形成された凹部から引き出した状態にし、スタンド３２を支えとして使用する。このとき、上述のようにバッテリパック５０が重力方向において下側となり、支持部材３４が机面に当接して支持される。
【００１９】
バッテリパック５０はタブレット端末１０の部品の中では比較的重量のある部品であり、バッテリパック５０を重力方向において下側にすることで、タブレット端末１０を安定した状態で机上に載置することができる。バッテリパック５０が装着されている側に支持部材３４が設けられているので、使用者は支持部材３４を下側にすればよいことを容易に認識することができる。すなわち、使用者は、バッテリパック５０の重量を考えてタブレット端末１０のどちら側を下にすべきかを考える必要はなく、支持部材３４が下側になるような姿勢でタブレット端末１０を配置することを容易に認識することができる。これにより、使用者は、重量を特別に意識しなくても、重量のあるバッテリパック５０を下側にした姿勢でタブレット端末１０を置くことができる。
【００２０】
また、使用者がタブレット端末１０の側面側（すなわち短辺側）を把持して腕に抱えたような場合でも、バッテリパック５０が肘の内側に当たるので、タブレット端末１０を安定して把持することができる。
【００２１】
次に、バッテリパック５０について、図４乃至図８を適宜参照しながら説明する。
【００２２】
図４はタブレット端末１０を裏側から見た斜視図であり、バッテリパック５０が装置本体２０から外された状態が示されている。バッテリパック５０を装置本体２０から取り外すときには、バッテリパック５０の長手方向の両側に設けられたスライドノブ５２を内側にスライドさせながら、バッテリパック５０を装置本体２０から離脱するように引っ張ればよい。スライドノブ５２を内側にスライドさることで、装置本体２０とバッテリパック５０の係合機構による固定が解除され、バッテリパック５０と装置本体２０との係合が解除される。係合機構としては周知の機構が用いられるため、詳細な説明は省略する。
【００２３】
バッテリパック５０の長さ（長手方向の寸法）は、装置本体２０の長辺の長さより短くなるように設定されており、装置本体２０のバッテリパック５０が装着される長辺側の両端部２０ｄは、バッテリパック５０を長手方向両側から挟み込むように突出している。すなわち、装置本体２０の長辺の一辺側は、バッテリパック５０の形状に対応して切り欠かれたようになっている。バッテリパック５０を装置本体２０のこの切り欠き部に嵌め込むことで、タブレット端末１０の全体が矩形形状となる。
【００２４】
図５はバッテリパック５０を表側から見た斜視図である。バッテリパック５０の表面５０ａは、タブレット端末１０の表側の面の一部となる面であり、平坦な面として形成されている。バッテリパック５０の表面５０ａは使用者によく見える部分であり、表面５０ａにロゴマークを設けたり、デザインを施したりすることもできる。
【００２５】
バッテリパック５０の側面５０ｂはタブレット端末１０の側面の一部となる面であり、装置本体２０の側面２０ｂのデザインに整合した形状となっている。本実施形態では、バッテリパック５０の側面５０ｂはなだらかな曲面となって裏面に繋がっている。
【００２６】
図６はバッテリパック５０を裏側から見た斜視図である。バッテリパック５０の裏面５０ｃには、上述のように長手方向両側にスライドノブ５２が設けられている。バッテリパック５０の長手方向の両端部には、装置本体２０に形成された凸部３８（図４参照）に嵌合するスロット５４が形成されている。バッテリパック５０を装置本体２０に装着するときに、バッテリパック５０の長手方向の両端部のスロット５４が装置本体２０の凸部３８に嵌合することで、バッテリパック５０は装置本体２０に対して位置決めされる。バッテリパック５０が装置本体２０に装着された状態では、バッテリパック５０の凸部３８が装置本体２０により支持されることで、バッテリパック５０がタブレット端末１０の厚み方向に動かないように固定される。なお、本実施形態では、スロット５４と凸部３８の嵌合とは別に、バッテリパック５０がタブレット端末１０の厚み方向に動かないようにする構造が設けられているが、その構造については後述する。
【００２７】
バッテリパック５０は電力を装置本体２０に供給するための電源であり、バッテリパック５０が装置本体２０に装着された状態で、電気接続端子を有するコネクタ５６が装置本体２０のコネクタ４０に接続される。
【００２８】
図７（ａ）はタブレット端末１０の平面図であり、図７（ｂ）は図７（ａ）のＢ−Ｂ線に沿った断面図である。図８は図７（ｂ）に示すＡ部の拡大図である。図８に示すＡ部にはバッテリパック５０とバッテリパック５０が装着された装置本体２０の一部が含まれている。
【００２９】
バッテリパック５０は、上述の表面５０ａ、側面５０ｂ、及び裏面５０ｃを形成する筐体６２を有しおり、筐体６２内にバッテリセル６０が収容されている。バッテリセル６０はバッテリパック５０の長手方向に延在する細長い円筒状であり、バッテリセル６０の断面は図８に示すように円形である。バッテリパック５０の側面５０ｂから裏面５０ｃに至る部分を形成する筐体６２の部分は、バッテリパック５０の断面形状（円形）に合わせて丸みを帯びた形状の曲面部６２ａとして形成されている。
【００３０】
バッテリパック５０の曲面部６２ａはバッテリパック５０の側面５０ｂと裏面５０ｃをつなぐ部分であり、バッテリパック５０の表面５０ａと側面５０ｂとをつなぐ角部よりも、はるかに大きな曲率を持つ曲面である。また、曲面部６２ａは、装置本体２０の側面２０ｂと裏面２０ｃをつなぐ部分より大きな曲率の曲面である。
【００３１】
この曲面部６２ａを設けることで、バッテリパック５０を手のひらで把持することが容易になる。まず、使用者は、タブレット端末１０を把持しようとしたときに、どの部位を把持しようかと考える。このとき、通常の使用者であれば、手のひらで把持したときに、手のひらに強く当たる角部が無い部分を把持することを考える。したがって、使用者は、本実施形態によるタブレット端末１０を把持する部分として、バッテリパック５０を自然と選択する。すなわち、バッテリパック５０の筐体６２の曲面部６２ａは、他の装置本体２０の部分より滑らかで大きな曲率の曲面となっており、曲面部６２ａが手のひらに当たるように把持することを使用者に選択させるような形状となっている。
【００３２】
使用者がバッテリパック５０を手のひらで把持するときには、親指をバッテリパック５０の表面５０ａ側にもっていき、他の４本の指をバッテリパック５０の裏面５０ｃ側にもっていき、親指と他の４本の指との間でバッテリパック５０を挟むようにする。すると、バッテリパック５０の曲面部６２ａが自然と手のひらに包まれたような状態となり、使用者は、タブレット端末１０に装着されて一体となっている電子パック５０を容易に把持することができる。
【００３３】
また、バッテリパック５０はタブレット端末１０の部品の中で、大きな重量を有する部品であり、タブレット端末１０全体の重心はバッテリパック５０の近くに位置することとなる。したがって、バッテリパック５０を把持することで、使用者は、バッテリパック５０から離れた部分を把持する場合よりも、小さな把持力で安定してタブレット端末１０を保持することができる。
【００３４】
以上のように、曲面部６２ａを設けることにより、把持する部分を使用者に容易に選択させることができ、且つ、手のひらで容易にかつ安定して把持することができるようになる。
【００３５】
曲面部６２ａを大きな曲率の面として形成できるのは、円筒状のバッテリセル６０を用いているからである。本実施形態では曲面部６２ａの曲率をバッテリセル６０の断面形状（円形）の曲率に対応した曲率としているが、必ずしもバッテリセルの形状に合わせた円弧状にする必要はなく、なるべく手のひらに収まりやすい丸みを帯びた形状にすればよい。
【００３６】
なお、図８に示すように、バッテリパック５０の裏面５０ｃと装置本体２０の裏面２０ｃとの間には僅かな段差が形成されている。この段差は、バッテリパック５０の裏面５０ｃの一部が僅かに傾斜した傾斜面５０ｃ−１により形成された段差である。使用者がバッテリパック５０を把持する際には、親指以外の４本の指がバッテリパック５０の裏側に位置することとなる。このときに、４本の指の先端を段差に掛けることにより、より容易にバッテリパック５０を把持することができるようになる。
【００３７】
本実施形態ではバッテリパック５０の裏面５０ｃに設けた傾斜面５０ｃ−１により段差を形成しているが、段差を形成する手段はこれに限られない。例えば、バッテリパック５０と装置本体２０との合わせ目の部分に沿って延在する凸部あるいは凹部を、装置本体２０の裏面２０ｃ又はバッテリパック５０の裏面５０ｃに設けて段差とすることもできる。
【００３８】
なお、本実施形態では、バッテリセル６０が組み込まれたバッテリパック５０が装置本体２０の一辺側に取り付けられた際に、装置本体２０に組み込まれている表示装置としてのタッチパネル２２とバッテリパック５０に組み込まれているバッテリセル６０とが重ならないように横並びに配置される。これにより、タブレット端末１０の厚みをバッテリパック５０の厚み又は装置本体２０の厚み以下とすることができ、タブレット端末１０を薄型にすることができる。
【００３９】
上述のように装置本体２０ではなくバッテリパック５０を把持させるようにすると、バッテリパック５０と装置本体２０との間の接続部に大きな力が作用するおそれがある。本実施形態における接続部はそのような大きな力に耐えるように設計されており、バッテリパック５０を把持しながらタブレット端末１０を手荒に使用しても、装置本体２０からバッテリパック５０が外れてしまうことは無い。ただし、バッテリパック５０を把持している状態で装置本体２０に衝撃が加わると、バッテリパック５０と装置本体２０とが相対的に微動し、電気接続部（コネクタ）における電気接続端子の接触が弱くなって、電気的導通が瞬間的に遮断される（瞬断する）おそれがある。
【００４０】
そこで、本実施形態では、以下に説明する構造を用いることで、コネクタにおける瞬断を確実に防止している。
【００４１】
まず、バッテリパック５０のコネクタ５６が装置本体２０のコネクタ４０に接続された状態において、装置本体２０の裏面２０ｃを形成する筐体４２がバッテリパック５０のコネクタ５６を覆うようにして張り出した張出し部４２ａ（図８参照）を有する構造を用いている。
【００４２】
図９はバッテリパック５０を外した状態のタブレット端末１０の斜視図であり、中央で切断した状態が示されている。装置本体２０側には、バッテリパック５０のコネクタ５６とその近傍の突出部５８を受容する凹部２０ｅが形成されており、コネクタ５６がコネクタ４０に接続された状態では、コネクタ５６は凹部２０ｅの中に収容される。上述の張出し部４２ａは、装置本体２０の筐体４２の一部が凹部２０ｅを形成するように張り出した部分である。
【００４３】
バッテリパック５０のコネクタ５６が装置本体２０のコネクタ４０に接続された状態で、コネクタ５６及び突出部５８は凹部２０ｅ内に収容され、張出し部４２ａと凹部２０ｅの反対側の内面とにより挟まれた状態で固定される。これにより、コネクタ５６はタブレット端末１０の厚み方向において強固に固定されるため、タブレット端末１０の厚み方向に大きな衝撃が加わった場合でも、コネクタ５６とコネクタ４０とが相対的に移動することが抑制される。したがって、タブレット端末１０の厚み方向において装置本体２０に加わった衝撃によりコネクタ５６とコネクタ４０の接続部に瞬断が発生することを抑制することができる。
【００４４】
また、本実施形態では、バッテリパック５０の長手方向においても、コネクタ５６とコネクタ４０の相対的な移動が抑制される。バッテリパック５０のコネクタ５６及び突出部５８が装置本体２０の凹部２０ｅに収容された状態では、バッテリパック５０の長手方向において、コネクタ５６の両側の突出部５８が凹部２０ｅの端面に当接する。これにより突出部５８及びコネクタ５６はバッテリパックの長手方向において固定され、タブレット端末１０のバッテリパック５０の長手方向に大きな衝撃が加わった場合でも、コネクタ５６とコネクタ４０とが相対的に移動することが抑制される。したがって、バッテリパック５０の長手方向において装置本体２０に加わった衝撃によりコネクタ５６とコネクタ４０の接続部に瞬断が発生することを抑制することができる。
【００４５】
本実施形態では、装置本体２０のコネクタ４０は、バッテリパック５０が装着される装置本体２０の一辺の中央部分に配置されている。したがって、バッテリパック５０のコネクタ５６もバッテリパック５０の長手方向の中央部分に配置されている。このようにコネクタ４０及びコネクタ５０が接続された状態で、コネクタ接続部は装置本体２０の一辺の中央部分に配置されている。バッテリパック５０と装置本体２０とがコネクタ接続部を中心にして相対的に回転するようなモーメントがバッテリパック５０又は装置本体２０に加わった場合、コネクタ接続部が装置本体２０の一辺の中央部分に配置されていると、モーメントを小さくすることができる。ただし、コネクタ接続部の位置は装置本体２０の一辺の中央部分に限定されることなく、装置本体２０の一辺のいずれかの端部に近い部分であっても特に問題となることは無い。
【００４６】
なお、本実施形態ではバッテリパック５０の突出部５８を装置本体２０の凹部２０ｅの内面に当接させることでバッテリパック５０の長手方向におけるコネクタ５６とコネクタ４０との相対的な移動を抑制しているが、他の部材によりコネクタ５６とコネクタ４０との相対的な移動を抑制することもできる。例えば、バッテリパック５０側と装置本体２０側とにリブを設け、コネクタ５６とコネクタ４０とが接続されたときに、リブ同士が互いに当接してコンクタ５６とコネクタ４０の相対的な移動を抑制するようにしてもよい。
【００４７】
次に、本実施形態によるタブレット端末１０の支持部材３４の形状について説明する。図１０はタブレット端末１０を裏側から見た斜視図であり、支持部材３４の一つが取り外された状態が示されている。図１１は図１０のＡ部を拡大して示す図である。図１２は支持部材３４を裏側から見た斜視図である。図１３は支持部材３４の側面図である。
【００４８】
支持部材３４は、例えばシリコンゴムなどの弾性体で形成され、装置本体２０に対して取り付けられる。支持部材３４は、装置本体２０のバッテリパック５０を挟み込むように設けられた端部２０ｅに取り付けられる。支持部材３４は装置本体２０が水平な姿勢で載置された場合でも、バッテリパック５０を重力方向の下側にして立てた姿勢で載置された場合でも、いずれの場合も載置面に当接するような形状となっている。すなわち、支持部材３４は、装置本体２０の裏面２０ｃから側面２０ｂにかけて延在するようにほぼ９０度湾曲した湾曲部３４ａを有する。湾曲部３４ａの一端側からは裏面直線部３４ｂが延在し、他端側からは側面直線部３４ｃが延在している。
【００４９】
裏面直線部３４ｂは、支持部材３４が装置本体２０に取り付けられた状態で、装置本体２０の裏面２０ｃから突出する部分である。したがって、タブレット端末１０が水平な姿勢で机上に置かれたときには、裏面直線部３４ｂが机面に当接してタブレット端末１０を支持することとなる。また、側面直線部３４ｃはタブレット端末１０がバッテリパック５０側を下側にして垂直な姿勢で机上に置かれたときに、机面に当接してタブレット端末１０を支える部分である。
【００５０】
支持部材３４の湾曲部３４ａは、支持部材３４が装置本体２０に取り付けられたときに、横方向から見ると、バッテリパック５０の筐体６２の曲面部６２ａから僅かに突出するような湾曲面を有する。したがて、タブレット端末１０がバッテリパック５０側を下側にして傾斜する姿勢で机上に置かれたときに、支持部材３４の湾曲部３４ａが机面に当接し、タブレット端末１０を支えることができる。支持部材３４の湾曲部３４ａは、バッテリパック５０の曲面部６２ａに対応した曲面形状であり、上述の水平な姿勢から上述の垂直な姿勢の間でタブレット端末１０が重力方向に対していかなる角度で傾斜しても、湾曲部３４ａの一部が適切に机面に当接することができる。したがって、タブレット端末１０をどのような角度にしても、支持部材３４の湾曲部３４ａとスタンド３２とでタブレット端末１０を机上に載置することができる。
【００５１】
支持部材３４の裏面直線部３４ｂの裏側からは、裏面挿入部３４ｄが突出して形成されている。裏面挿入部３４ｄは、装置本体２０の裏面２０ｃに形成された裏面取付け穴２０ｃ−１に挿入される。また、支持部材３４の側面直線部３４ｃと湾曲部３４ａの裏側からは、側面挿入部３４ｅが突出して形成されている。側面挿入部３４ｅは、装置本体２０の側面２０ｂに形成された側面取付け穴２０ｂ−１に挿入される。裏面挿入部３４ｂが裏面取付け穴２０ｃ−１に押し込まれ、側面挿入部３４ｅが側面取付け穴２０ｂ−１に押し込まれることで、支持部材３４は装置本体２０に確実に装着されて固定される。
【００５２】
以上のように、支持部材３４は、装置本体２０に確実に固定され、タブレット端末１０がどのような角度で傾斜した姿勢で置かれても、支持部材３４が常に同じ条件で確実に机面に当接することができる。これにより、タブレット端末１０がどのような角度で傾斜した姿勢で置かれても、タブレット端末１０を確実に支持することができる。
【００５３】
次に、タブレット端末１０の重心位置について説明する。図１４はタブレット端末１０の平面図であり、タッチパネル２２及びＬＣＤが取り除かれた状態が示されている。図１４において、装置本体２０の内部における部品の配置が示されている。主回路基板７０、冷却装置７２、外部接続回路基板７４等の比較的重量のある部品は、装置本体２０の内部でもなるべくバッテリパック５０に近い位置に配置されている。
【００５４】
装置本体２０内で重量のある部品をバッテリパック５０が装着される側に配置することで、タブレット端末１０全体の重心がなるべくバッテリパック５０に近くなるようにすることができる。これにより、バッテリパック５０を把持する際に、重心の近くを支持することとなり、より小さな把持力で安定して支持することができるようになる。
【００５５】
本明細書は以下の事項を開示する。
（付記１）
表示部を有する矩形状の装置本体と、
バッテリセルが組み込まれ、外形形状が丸みを帯びたバッテリパックと
を有し、
前記バッテリパックは、前記表示部と前記バッテリセルとが重ならない配置で、前記装置本体の一辺側に装着されている電子機器。
（付記２）
付記１記載の電子機器であって、
前記バッテセルは円筒形状であり、前記バッテリパックの外形形状の丸みは前記バッテリセルの外形の丸みに対応している電子機器。
（付記３）
付記１又は２記載の電子機器であって、
前記バッテリパックは、前記電子機器が支持されたときに重力方向において下側になる前記装置本体の一辺に装着された電子機器。
（付記４）
付記１又は２記載の電子機器であって、
前記バッテリパックは、前記装置本体の長辺側の一辺に装着された電子機器。
（付記５）
付記１乃至４のうちいずれか一項記載の電子機器であって、
前記バッテリパックを前記装置本体に電気的に接続するコネクタをさらに有し、
前記装置本体の筐体は、前記コネクタを覆うように張り出した張出し部を有する電子機器。
（付記６）
付記５記載の電子機器であって、
前記コネクタは前記バッテリパックの長手方向の中央に設けられた電子機器。
（付記７）
付記５又は６記載の電子機器であって、
前記バッテリパックのコネクタを前記バッテリパックの長手方向から挟み込む一対の壁部材が前記装置本体のコネクタの両側に設けられた電子機器。
（付記８）
付記１乃至７記載の電子機器であって、
前記バッテリパックが前記装置本体に接続された部分において、前記バッテリパックの長手方向に沿って延在する段差部が設けられた電子機器。
（付記９）
付記８記載の電子機器であって、
前記段差部は、前記バッテリパックの裏面に形成された傾斜面である電子機器。
（付記１０）
付記１乃至９のうちいずれか一項記載の電子機器であって、
前記装置本体が載置面上で滑らないように支持する支持部材が前記装置本体に設けられ、該支持部材は前記バッテリパックの丸みに対応して湾曲した湾曲部を有する電子機器。
（付記１１）
付記１０記載の電子機器であって、
前記支持部材は弾性体である電子機器。
（付記１２）
付記１乃至１０のうちいずれか一項記載の電子機器であって、
前記電子機器はタブレット端末である電子機器。
【符号の説明】
【００５６】
１０  タブレット端末
２０  装置本体
２０ａ  表面
２０ｂ  側面
２０ｂ−１  側面取付け穴
２０ｃ  裏面
２０ｃ−１  裏面取付け穴
２０ｄ  端部
２０ｅ  凹部
２２  タッチパネル
２４  電源コネクタ
２６  ＬＡＮコネクタ
２８  ＵＳＢコネクタ
３０  電源スイッチ
３２  スタンド
３４  支持部材
３４ａ  湾曲部
３４ｂ  裏面直線部
３４ｃ  側面直線部
３４ｄ  裏面挿入部
３４ｅ  側面挿入部
３６  支持パッド
４０  コネクタ
４２  筐体
４２ａ  張出し部
５０  バッテリパック
５０ａ  表面
５０ｂ  側面
５０ｃ  裏面
５２  スライドノブ
５４  スロット
５６  コネクタ
５８  突出部
６０  バッテリセル
６２  筐体
６２ａ  曲面部
７０  主回路基板
７２  冷却装置
７４  外部接続回路基板
【図１】
0005895509.tif 000002
【図２】
0005895509.tif 000003
【図３】
0005895509.tif 000004
【図４】
0005895509.tif 000005
【図５】
0005895509.tif 000006
【図６】
0005895509.tif 000007
【図７】
0005895509.tif 000008
【図８】
0005895509.tif 000009
【図９】
0005895509.tif 000010
【図１０】
0005895509.tif 000011
【図１１】
0005895509.tif 000012
【図１２】
0005895509.tif 000013
【図１３】
0005895509.tif 000014
【図１４】
0005895509.tif 000015